(57)【要約】  【課題】  空気調和機の配置に拘わらず簡単に室内の複数の使用者に対して快適性を満たすことのできる空気調和機を提供する。  【解決手段】  室内の壁面Ｗ１に取り付けられる室内機１を備え、使用者により選択して駆動される複数の送風モードを有した空気調和機において、室内機１が該壁面の左右方向の中央部に配置された際に左右に分割された第１、第２領域Ｅ１、Ｅ２に温度差を設ける第１送風モードと、室内機１が第１、第２領域Ｅ１、Ｅ２の一方の端部に配置された際に第１、第２領域Ｅ１、Ｅ２の該一方を他方よりも低温に維持する第２送風モードと、室内機１が第１、第２領域Ｅ１、Ｅ２の一方の端部に配置された際に第１、第２領域Ｅ１、Ｅ２の該一方を他方よりも高温に維持する第３送風モードとを有する。【選択図】      図１７
2006162215.tif 000002
【特許請求の範囲】
【請求項１】
室内の壁面に取り付けられる室内機を備え、複数の送風モードを択一的に駆動する空気調和機において、前記室内機が該壁面の左右方向の中央部に配置された際に該壁面の中央を通る鉛直面で分割された第１、第２領域に温度差を設ける第１送風モードと、前記室内機が第１、第２領域の一方の端部に配置された際に第１、第２領域の該一方を他方よりも低温に維持する第２送風モードと、前記室内機が第１、第２領域の一方の端部に配置された際に第１、第２領域の該一方を他方よりも高温に維持する第３送風モードとを有することを特徴とする空気調和機。
【請求項２】
室内の床面に沿った風速を０．５ｍ／ｓ以下にしたことを特徴とする請求項１に記載の空気調和機。
【請求項３】
前記室内機は空気を送出する吹出口を有し、
第１送風モードは、前記吹出口から左右方向の一方の下方または水平方向に吹出す第１気流を該一方の側壁に沿って流通させるとともに、正面上方へ吹出す第２気流を室内の天井壁に沿って流通させ、
第２送風モードは、前記吹出口から近い側の側壁に向かって下方または水平方向に吹出す第１気流を該側壁に沿って流通させるとともに、該側壁から離れる方向の上方へ吹出す第２気流を室内の天井壁に沿って流通させ、
第３送風モードは、前記吹出口から正面上方へ吹出す第１気流を室内の天井壁に沿って流通させるとともに、遠い側の側壁に向かって下方または水平方向に吹出す第２気流を該側壁に沿って流通させることを特徴とする請求項１または請求項２に記載の空気調和機。
【請求項４】
前記吹出口は左右に分割した右側吹出口と左側吹出口から成り、前記右側吹出口及び前記左側吹出口の一方から第１気流を送出するとともに他方から第２気流を送出することを特徴とする請求項３に記載の空気調和機。
【請求項５】
前記左側吹出口の風向を上下に可変する第１上下風向変更部と、前記右側吹出口の風向を上下に可変する第２上下風向変更部と、前記左側吹出口の風向を左右に可変する第１左右風向変更部と、前記右側吹出口の風向を左右に可変する第２左右風向変更部とを備えたことを特徴とする請求項４に記載の空気調和機。
【請求項６】
前記左側吹出口の上部に配される第１上部風向板と、前記左側吹出口の下部に配される第１下部風向板と、前記右側吹出口の上部に配される第２上部風向板と、前記右側吹出口の下部に配される第２下部風向板とを備え、第１上下風向変更部が第１上部風向板及び第１下部風向板から成るとともに、第２上下風向変更部が第２上部風向板及び第２下部風向板から成ることを特徴とする請求項５に記載の空気調和機。
【請求項７】
前記左側吹出口の上部に配される第１上部風向板と、前記右側吹出口の上部に配される第２上部風向板と、前記吹出口の下部に配される下部風向板とを備え、第１上下風向変更部が前記下部風向板の左方及び第１上部風向板から成るとともに、第２上下風向変更部が前記下部風向板の右方及び第２上部風向板から成ることを特徴とする請求項５に記載の空気調和機。
【請求項８】
前記吹出口の上部に配された可撓性部材から成る上部風向板と、前記吹出口の下部に配された可撓性部材から成る下部風向板とを備え、第１上下風向変更部が前記上部風向板の左方及び前記下部風向板の左方から成るとともに、第２上下風向変更部が前記上部風向板の右方及び前記下部風向板の右方から成り、前記上部風向板及び前記下部風向板の一方または両方を捻って前記右側吹出口と前記左側吹出口とから異なる向きに空気を送出することを特徴とする請求項５に記載の空気調和機。
【請求項９】
前記室内機の配置を入力する配置入力手段を備え、前記配置入力手段のユーザ入力に基づいて第１〜第３送風モードを選択して空気調和を行うことを特徴とする請求項１〜請求項８のいずれかに記載の空気調和機。
【請求項１０】
前記室内機の配置を検知する配置検知手段を備え、前記配置検知手段の検知結果に基づいて第１〜第３送風モードを選択して空気調和を行うことを特徴とする請求項１〜請求項９のいずれかに記載の空気調和機。
【請求項１１】
前記室内機の配置図を表示する表示部を有したリモートコントローラを備えたことを特徴とする請求項１〜請求項１０のいずれかに記載の空気調和機。
【発明の詳細な説明】
【技術分野】
【０００１】
本発明は、室内の空気を調和する空気調和機に関する。
【背景技術】
【０００２】
室内の空気を取り込んで調和し、調和空気を吹出口から送出する従来の空気調和機は特許文献１、２に開示されている。特許文献１に開示される空気調和機は、室内の複数の領域に赤外線センサを設け、各領域の温度を赤外線センサにより検知する。そして、検知温度に基づいて吹出気流の方向を可変して各領域の温度差を解消するようになっている。また、特許文献２に開示される空気調和機は、吹出口から上方に調和空気を送出することにより室内の温度を均一にすることができる。
【０００３】
一方、特許文献３には室内の離れた２箇所を集中的に空気調和する空気調和機が開示されている。この空気調和機は吹出口の上部から例えば左方に調和空気が送出され、下部から右方に調和空気が送出される。また、直列に配される第１、第２熱交換器を有し、第１、第２熱交換器を連結する第１、第２経路が分岐して設けられる。第１経路には開閉弁が設けられ、第２経路には膨張弁及びキャピラリーチューブが設けられる。
【０００４】
開閉弁を開いて膨張弁を閉じると第１、第２熱交換器は同じ冷却能力を有する。開閉弁を閉じて膨張弁を開くと冷凍サイクルを流通する冷媒がキャピラリーチューブを介して第２熱交換器に流入するため、第２熱交換器の冷却能力が第１熱交換器よりも高くなる。これにより、第１熱交換器を通過する空気が多く流通する吹出口上部から送出される空気は、吹出口下部から送出される空気よりも若干温度が高くなる。このため、空気調和機の左方上部の空間を高い温度にして、右方下部の空間を低い温度にできるようになっている。
【特許文献１】特公平７−８８９５７号
【特許文献２】特開２００３−２３２５６０号
【特許文献３】特開２００３−２４０３２５号
【発明の開示】
【発明が解決しようとする課題】
【０００５】
上記特許文献１、２に開示された空気調和機によると、室内が略均一な温度になる。このため、室内に複数の使用者がいた場合に、各使用者が快適と感じる温度が異なると各使用者に対して快適性を満たすことができない問題があった。また、特許文献２の従来例に記載されるように室内の温度分布を不均一な状態にしても、各使用者が快適と感じる温度に一致させることができない。
【０００６】
一方、特許文献３に開示された空気調和機によると、２つの空間を異なる温度にできるが、空気調和機の室内機は室内の種々の位置に設置されるため、設置位置に応じて所望の方向に風向がユーザ操作により可変される。このため、煩雑な操作を必要として空気調和機の利便性が悪い問題があった。
【０００７】
本発明は、空気調和機の配置に拘わらず簡単に室内の複数の使用者に対して快適性を満たすことのできる空気調和機を提供することを目的とする。
【課題を解決するための手段】
【０００８】
上記目的を達成するために本発明は、室内の壁面に取り付けられる室内機を備え、複数の送風モードを択一的に駆動する空気調和機において、前記室内機が該壁面の左右方向の中央部に配置された際に該壁面の中央を通る鉛直面で分割された第１、第２領域に温度差を設ける第１送風モードと、前記室内機が第１、第２領域の一方の端部に配置された際に第１、第２領域の該一方を他方よりも低温に維持する第２送風モードと、前記室内機が第１、第２領域の一方の端部に配置された際に第１、第２領域の該一方を他方よりも高温に維持する第３送風モードとを有することを特徴としている。
【０００９】
この構成によると、壁面の中央部に室内機を取り付けた場合は第１送風モードが選択され、室内機に向かって室内を左右に分割した第１、第２領域が異なる温度に維持される。壁面の左方端部に室内機を取り付けて第２送風モードを選択した場合は、室内の左方の第１領域が右方の第２領域よりも低温に維持される。壁面の左方端部に室内機を取り付けて第３送風モードを選択した場合は、室内の左方の第１領域が右方の第２領域よりも高温に維持される。尚、壁面の中央部は壁面の端部を除く位置を指し、第１送風モードは壁面の端部を除く位置に室内機を取り付けた場合に設定される。
【００１０】
また本発明は、上記構成の空気調和機において、室内の床面に沿った風速を０．５ｍ／ｓ以下にしたことを特徴としている。
【００１１】
また本発明は、上記構成の空気調和機において、前記室内機は空気を送出する吹出口を有し、
第１送風モードは、前記吹出口から左右方向の一方の下方または水平方向に吹出す第１気流を該一方の側壁に沿って流通させるとともに、正面上方へ吹出す第２気流を室内の天井壁に沿って流通させ、
第２送風モードは、前記吹出口から近い側の側壁に向かって下方または水平方向に吹出す第１気流を該側壁に沿って流通させるとともに、該側壁から離れる方向の上方へ吹出す第２気流を室内の天井壁に沿って流通させ、
第３送風モードは、前記吹出口から正面上方へ吹出す第１気流を室内の天井壁に沿って流通させるとともに、遠い側の側壁に向かって下方または水平方向に吹出す第２気流を該側壁に沿って流通させることを特徴としている。
【００１２】
この構成によると、第１送風モードでは第２気流は吹出口から正面上方へ送出されて左右に拡散しながら天井壁に沿って流通し、室内機に対向する壁面に沿って降下して床面を流通する。第１気流は吹出口から例えば左方に送出されて左側壁に沿って流通し、第２気流とともに床面を流通する。
【００１３】
第２送風モードでは例えば室内の左方端部に設置された室内機の吹出口から第２気流が右上方へ送出されて左右に拡散しながら天井壁に沿って流通し、室内機に対向する壁面に沿って降下して床面を流通する。第１気流は吹出口から左方に送出されて左側壁に沿って流通し、第２気流とともに床面を流通する。
【００１４】
第３送風モードでは例えば室内の左方端部に設置された室内機の吹出口から第１気流が正面上方へ送出されて左右に拡散しながら天井壁に沿って流通し、室内機に対向する壁面に沿って降下して床面を流通する。第２気流は吹出口から右方に送出されて右側壁に沿って流通し、第１気流とともに床面を流通する。
【００１５】
また本発明は、上記構成の空気調和機において、前記吹出口は左右に分割した右側吹出口と左側吹出口から成り、前記右側吹出口及び前記左側吹出口の一方から第１気流を送出するとともに他方から第２気流を送出することを特徴としている。この構成によると、第１送風モードでは、例えば左側吹出口から左方の壁に向けて斜め下方に調和空気が送出され、右側吹出口から正面上方に調和空気が送出される。
【００１６】
また本発明は、上記構成の空気調和機において、前記左側吹出口の風向を上下に可変する第１上下風向変更部と、前記右側吹出口の風向を上下に可変する第２上下風向変更部と、前記左側吹出口の風向を左右に可変する第１左右風向変更部と、前記右側吹出口の風向を左右に可変する第２左右風向変更部とを備えたことを特徴としている。
【００１７】
この構成によると、例えば、第１上下風向変更部を斜め下方に向けて第２上下風向変更部を斜め上方に向けるとともに、第１左右風向変更部を左方に向けて第２左右風向変更部を正面に向けると、左側吹出口から左方の壁に向けて斜め下方に調和空気が送出され、右側吹出口から正面上方に調和空気が送出される。これにより、冷房運転時に室内機に対して左側と右側とを異なる温度することができる。
【００１８】
また本発明は、上記構成の空気調和機において、前記左側吹出口の上部に配される第１上部風向板と、前記左側吹出口の下部に配される第１下部風向板と、前記右側吹出口の上部に配される第２上部風向板と、前記右側吹出口の下部に配される第２下部風向板とを備え、第１上下風向変更部が第１上部風向板及び第１下部風向板から成るとともに、第２上下風向変更部が第２上部風向板及び第２下部風向板から成ることを特徴としている。
【００１９】
この構成によると、例えば、第１上部風向板及び第１下部風向板を前方へ行くほど下方に向けると左側吹出口から斜め下方に調和空気が送出される。第１上部風向板を前方へ行くほど上方に向け、第１下部風向板を略水平若しくは略水平よりも前方へ行くほどやや下方に向けると、左側吹出口から斜め上方に調和空気が送出される。右側吹出口からの送出方向も第２上部風向板及び第２下部風向板を同様に配置することにより可変される。
【００２０】
また本発明は、上記構成の空気調和機において、前記左側吹出口の上部に配される第１上部風向板と、前記右側吹出口の上部に配される第２上部風向板と、前記吹出口の下部に配される下部風向板とを備え、第１上下風向変更部が前記下部風向板の左方及び第１上部風向板から成るとともに、第２上下風向変更部が前記下部風向板の右方及び第２上部風向板から成ることを特徴としている。
【００２１】
この構成によると、例えば、第１上部風向板及び下部風向板を前方へ行くほど下方に向けると左側吹出口から斜め下方に調和空気が送出される。第１上部風向板を前方へ行くほど上方に向け、下部風向板を略水平若しくは略水平よりも前方へ行くほどやや下方に向けると、左側吹出口から斜め上方に調和空気が送出される。右側吹出口からの送出方向も第２上部風向板及び下部風向板を同様に配置することにより可変される。
【００２２】
また本発明は、上記構成の空気調和機において、前記吹出口の上部に配された可撓性部材から成る上部風向板と、前記吹出口の下部に配された可撓性部材から成る下部風向板とを備え、第１上下風向変更部が前記上部風向板の左方及び前記下部風向板の左方から成るとともに、第２上下風向変更部が前記上部風向板の右方及び前記下部風向板の右方から成り、前記上部風向板及び前記下部風向板の一方または両方を捻って前記右側吹出口と前記左側吹出口とから異なる向きに空気を送出することを特徴としている。
【００２３】
この構成によると、例えば、上部風向板及び下部風向板の左側を前方へ行くほど下方に向けると左側吹出口から斜め下方に調和空気が送出される。上部風向板の左側を前方へ行くほど上方に向け、下部風向板の左側を略水平若しくは略水平よりも前方へ行くほどやや下方に向けると、左側吹出口から斜め上方に調和空気が送出される。右側吹出口からの送出方向も上部風向板及び下部風向板の右側を同様に配置することにより可変される。また、上部風向板及び下部風向板を捻ることにより、左側吹出口と右側吹出口から異なる方向に調和空気が送出される。
【００２４】
また本発明は、上記構成の空気調和機において、前記室内機の配置を入力する配置入力手段を備え、前記配置入力手段のユーザ入力に基づいて第１〜第３送風モードを選択して空気調和を行うことを特徴としている。
【００２５】
また本発明は、上記構成の空気調和機において、前記室内機の配置を検知する配置検知手段を備え、前記配置検知手段の検知結果に基づいて第１〜第３送風モードを選択して空気調和を行うことを特徴としている。
【００２６】
また本発明は、上記構成の空気調和機において、前記室内機の配置図を表示する表示部を有したリモートコントローラを備えたことを特徴としている。この構成によると、第１送風モードが選択された場合は壁面の中央部に室内機が配置された図が表示部に表示される。第２、第３送風モードが選択された場合は壁面の左方の端部または右方の端部に室内機が配置された図が表示部に表示される。
【発明の効果】
【００２７】
本発明によると、第１〜第３送風モードを備えるので、第１〜第３送風モードを択一的に切り替えることにより煩雑な操作を必要とせず、室内機の配置に応じて室内を分割した第１、第２領域を簡単に異なる温度にすることができる。従って、複数の使用者が快適と感じる温度が異なる場合でも室内機の配置に拘わらず簡単に各使用者の快適性を満たすことができる。
【００２８】
また本発明によると、室内の中央下部の平均風速を０．５ｍ／ｓにしたので、使用者の健康が損なわれることを防止できる。
【００２９】
また本発明によると、第１送風モードは、吹出口から左右方向の一方の下方または水平方向に吹出す第１気流を該一方の側壁に沿って流通させるとともに、正面上方へ吹出す第２気流を室内の天井壁に沿って流通させ、第２送風モードは、吹出口から近い側の側壁に向かって下方または水平方向に吹出す第１気流を該側壁に沿って流通させるとともに、左右方向の他方の上方へ吹出す第２気流を室内の天井壁に沿って流通させ、第３送風モードは、吹出口から正面上方へ吹出す第１気流を室内の天井壁に沿って流通させるとともに、遠い側の側壁に向かって下方または水平方向に吹出す第２気流を該側壁に沿って流通させる。従って、室内機の配置に拘わらず室内を左右に分割した第１、第２領域に簡単に温度差を設けることができる。また、室内の中央下部の居住域に直接冷気を浴びせないので使用者の健康を損ねることがない。
【００３０】
また本発明によると、左側吹出口の風向を上下に可変する第１上下風向変更部と、右側吹出口の風向を上下に可変する第２上下風向変更部と、左側吹出口の風向を左右に可変する第１左右風向変更部と、右側吹出口の風向を左右に可変する第２左右風向変更部とを備えたので、上下方向及び左右方向で向きの異なる気流を左側吹出口と右側吹出口から容易に送出することができる。
【００３１】
また本発明によると、左側吹出口の上部に配される第１上部風向板と、左側吹出口の下部に配される第１下部風向板と、右側吹出口の上部に配される第２上部風向板と、右側吹出口の下部に配される第２下部風向板とを備えたので、吹出し方向を上下方向に容易に可変することができる。
【００３２】
また本発明によると、左側吹出口の上部に配される第１上部風向板と、右側吹出口の上部に配される第２上部風向板と、吹出口の下部に配される下部風向板とを備えたので、吹出し方向を上下方向に容易に可変することができるとともに、部品点数を削減することができる。
【００３３】
また本発明によると、吹出口の上部に配された可撓性部材から成る上部風向板と、吹出口の下部に配された可撓性部材から成る下部風向板とを備えたので、吹出し方向を上下方向に容易に可変することができるとともに、部品点数をより削減することができる。
【００３４】
また本発明によると、配置入力手段のユーザ入力に基づいて第１〜第３送風モードを選択して空気調和を行うので、室内機の配置に応じて簡単な操作で第１、第２領域に温度差を設けることができる。
【００３５】
また本発明によると、配置検知手段の検知結果に基づいて第１〜第３送風モードを選択して空気調和を行うので、ユーザ操作を省いてより利便性の高い空気調和機を得ることができる。
【００３６】
また本発明によると、室内機の配置図を表示する表示部を有したリモートコントローラを備えたので、使用者が第１〜第３送風モードの選択状態を容易に認識することができる。従って、より利便性の高い空気調和機を得ることができる。
【発明を実施するための最良の形態】
【００３７】
＜＜第１実施形態＞＞
以下に本発明の実施形態について図面を参照して説明する。図１は第１実施形態の空気調和機の室内機１を示す斜視図である。空気調和機の室内機１は、キャビネット２により本体部が保持されており、キャビネット２には上面側と前面側に吸込口４が設けられたフロントパネル３が着脱自在に取り付けられている。キャビネット２は後方側面に爪部（不図示）が設けられ、室内の側壁Ｗ１（図２参照）に取り付けられた取付板（不図示）に該爪部を係合して支持される。
【００３８】
フロントパネル３の前面下部には空気を送出する吹出口５が設けられている。吹出口５は水平方向に延びた矩形に形成されている。吹出口５は４枚の横ルーバ１１１ａ、１１１ｂ、１１１ｃ、１１１ｄにより塞がれている。横ルーバ１１１ａ（第１上部風向板）は吹出口５の向かって左半分を形成する左側吹出口５ａの上部を塞ぐ位置に配される。横ルーバ１１１ｂ（第２上部風向板）は吹出口５の右半分を形成する右側吹出口５ｂの上部を塞ぐ位置に配される。横ルーバ１１１ｃ（第１下部風向板）は左側吹出口５ａの下部を塞ぐ位置に配される。横ルーバ１１１ｄ（第２下部風向板）は右側吹出口５ｂの下部を塞ぐ位置に配される。
【００３９】
横ルーバ１１１ａ、１１１ｂ、１１１ｃ、１１１ｄは水平な回動軸を有し、気流制御モータ７９（図２８参照）の駆動によってそれぞれ独立に回動する。従って、横ルーバ１１１ａ、１１１ｃ（第１上下風向変更部）は左側吹出口５ａから送出される気流の上下方向の風向を可変する。横ルーバ１１１ｂ、１１１ｄ（第２上下風向変更部）は右側吹出口５ｂから送出される気流の上下方向の風向を可変する。
【００４０】
図２は室内機１の側面断面図を示している。室内機１の内部には、吸込口４から吹出口５に連通する送風経路６が形成されている。送風経路６内には空気を送出する送風ファン７が配されている。送風ファン７として、例えば、クロスフローファン等を用いることができる。送風経路６は前方へ行くほど下方に向かって傾斜し、送風ファン７により送出される空気を前方下方に案内する前方案内部６ａを有している。また、送風経路６の上壁は前方案内部６ａの終端から前方へ行くほど上方に傾斜した傾斜面になっている。
【００４１】
前方案内部６ａには複数の縦ルーバ１２ａ（図３参照）、１２ｂが設けられている。図３は縦ルーバ１２ａ、１２ｂの上面図を示している。左側に配される複数の縦ルーバ１２ａ（第１左右風向変更部）はそれぞれ前方案内部６ａの底面に略垂直な支軸１２ｄにより中央部分を軸支され、後部が連結部材１２ｃにより連結されている。これにより、複数の縦ルーバ１２ａは連動して回動し、左側吹出口５ａから送出される気流の左右方向の風向を可変する。
【００４２】
同様に、右側に配される複数の縦ルーバ１２ｂ（第２左右風向変更部）はそれぞれ前方案内部６ａの底面に略垂直な支軸１２ｆにより中央部分を軸支され、後部が連結部材１２ｅにより連結されている。これにより、複数の縦ルーバ１２ｂは連動して回動し、右側吹出口５ｂから送出される気流の左右方向の風向を可変する。
【００４３】
図２において、フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される室外機に設けられた圧縮機（不図示）に接続されており、圧縮機の駆動により冷凍サイクルが運転される。
【００４４】
冷凍サイクルの運転によって冷房運転時には室内熱交換器９が周囲温度よりも低温に冷却される。また、暖房運転時には、室内熱交換器９が周囲温度よりも高温に加熱される。尚、室内熱交換器９とエアフィルタ８との間には吸込口４から吸い込まれた空気の温度を検知する温度センサ６１が設けられ、室内機１の側部には空気調和機の駆動を制御する制御部６０（図２８参照）が設けられている。室内熱交換機９の前後の下部には冷房または除湿時に室内熱交換器９から落下した結露を補集するドレンパン１０が設けられている。
【００４５】
図４は本実施形態の空気調和機の動作をコントロールするためのリモートコントローラ３１を示す外観図である。リモートコントローラ３１は操作部３１ａ、表示部３１ｂ、発信部３１ｃを有している。操作部３１ａは複数の操作キーを有し、空気調和機の運転状態を操作入力する。
【００４６】
操作部３１ａの操作キーによって、室内の冷房運転、除湿運転、暖房運転に切り替えることができる。下部のカバー３１ｄを開くと別の操作キーが露出し、設定温度、風向、風速を設定することができる。また、室内を左右、前後、上下に二分割した第１、第２領域を別々に温度設定することができる。加えて、室内機１の設置位置を壁に向かって左側の端部、右側の端部、両端部を除いた中央部に切り替えて入力することができる。これにより、リモートコントローラ３１は室内機１の配置を入力する配置入力手段を構成する。
【００４７】
表示部３１ｂは液晶表示パネル等から成り、空気調和機の運転状況、時刻、設定温度等を表示する。また、室内機１を設置した部屋Ｒの概略形状、室内機１の設置位置が模式的に斜視図により表示される。そして、室内機１に向かって左右に分割した第１、第２領域の設定温度を別々に設定することができる。また、発信部３１ｃは操作部３１ａによる操作信号を室内機１に発信する。
【００４８】
また、風速を「微風」、「弱風」、「強風」、「自動」等にユーザ設定することができる。これにより、手動で微風（６畳タイプの空気調和機で約４ｍ／ｓ）、弱風（同、約６ｍ／ｓ）、強風（同、約８ｍ／ｓ）等に可変することができる。また、「自動」に設定すると、運転状況に応じて微風、弱風、強風等に切り替えられる。
【００４９】
上記構成の空気調和機において、圧縮機（不図示）を駆動すると、室外機（不図示）からの冷媒が室内熱交換器９へ流れて冷凍サイクルが運転される。送風ファン７の駆動によって室内の空気は吸込口４から室内機１内に吸い込まれ、エアフィルタ８によって空気中に含まれる塵埃が除去される。
【００５０】
冷房運転時には、室内機１内に取り込まれた空気は低温側となる室内熱交換器９と熱交換して冷却される。室内熱交換器９で冷却された調和空気は、縦ルーバ１２ａ、１２ｂ、及び横ルーバ１１１ａ、１１１ｂ、１１１ｃ、１１１ｄによって左右方向および上下方向に向きを規制され室内に送出される。
【００５１】
＜第１の気流制御＞
室内機１を壁面の左右方向の中央部に設けた場合はリモートコントローラ３１の入力によって図４に示すように室内機１が壁面の中央に配置された図が表示される。そして、室内の温度分布を均一にするように指示すると第１の気流制御が行われる。第１の気流制御では、図５に示すように上方の横ルーバ１１１ａ、１１１ｂは前方が上方になるように例えば水平に対して２０゜の角度で配置される。下方の横ルーバ１１１ｃ、１１１ｄは前方が若干下方となる斜め下方から略水平の間で例えば水平に対して５゜以下の角度で配置される。また、縦ルーバ１２ａ、１２ｂは前述の図３に示すように正面に向けて配置される。縦ルーバ１２ａ、１２ｂは前方を外側に向けて約５゜までの範囲で傾斜してもよい。そして、風速が「微風」に設定され、吹出口５から調和空気が送出される。
【００５２】
送風経路６を流通して吹出口５の上部から送出される空気は横ルーバ１１１ａ、１１１ｂに沿って斜め上方に導かれる。送風経路６を流通して吹出口５の下部から送出される空気は横ルーバ１１１ｃ、１１１ｄに沿って若干下方または略水平に導かれる。この時、送風ファン７によって送風経路６内を図中、時計回りに旋回して流通する空気は、内周側となる送風経路６の上部の風量が多くなる。このため、吹出口５の下部から送出される空気は上部から送出される空気に沿う。その結果、吹出口５から矢印Ｂ１に示すように斜め上方に向かって調和空気が送出される。
【００５３】
下方の横ルーバ１１１ｃ、１１１ｄを前方へ行くほど上方になるように配置して空気を上方に導いてもよいが、横ルーバ１１１ｃ、１１１ｄの下面に沿って流通する調和空気が減少する。このため、横ルーバ１１１ｃ、１１１ｄの上面と下面との間に温度差が生じて結露する場合がある。従って、横ルーバ１１１ｃ、１１１ｄを斜め下方から略水平の間に配置する方がより望ましい。
【００５４】
吹出口５から斜め上方に送出された空気は、コアンダ効果により天井壁Ｓに沿って流通し、拡散しながら室内機１に対向する側壁Ｗ２（図１０参照）に到達する。そして、室内機１に対向する側壁Ｗ２に沿って降下し、床面Ｆ（図１０参照）を流通して部屋Ｒ内の全体を調和空気が流通する。これにより、室内が均一な温度に冷房運転される。
【００５５】
＜第２の気流制御＞
室内機１を壁面の左右方向の端部に設けた場合はリモートコントローラ３１の入力によって室内機１が壁面の一方に配置された図が表示される（図１６参照）。室内の温度分布を均一にするように指示すると第２の気流制御が行われる。室内機１を取付面に直交する側壁から例えば３５０ｍｍ以下の距離の端部に配置すると、室内機１から正面に向けて送出される空気はコアンダ効果によって該側壁に沿って流通する。このため、該側壁に近い側が低温になり易いため第１の気流制御と異なる気流制御が行われる。
【００５６】
第２の気流制御では、横ルーバ１１１ａ〜１１１ｄは第１の気流制御と同様に配置される。即ち、前述の図５に示すように上方の横ルーバ１１１ａ、１１１ｂは前方が上方になるように例えば水平に対して２０゜の角度で配置される。下方の横ルーバ１１１ｃ、１１１ｄは前方が若干下方となる斜め下方から略水平の間で例えば水平に対して５゜以下の角度で配置される。
【００５７】
また、縦ルーバ１２ａ、１２ｂは正面に対して室内の中央側に向けて配置される。即ち、縦ルーバ１２ａ、１２ｂは前方を対向する壁面の中央に向けて１５゜〜３０゜の範囲で傾斜される。図１０の部屋Ｒを６畳間として短い方の側壁Ｗ１の端部に室内機１を設けると、室内機１から対向する側壁Ｗ２の中央に向かう方向は側壁Ｗ１に垂直な鉛直面に対して約２０゜傾斜する。このため、より幅の狭い部屋や幅の広い部屋の場合でも室内を均一に所望の温度にするために、縦ルーバ１２ａ、１２ｂの傾斜角を１５゜〜３０゜の範囲に設定するとよい。尚、縦ルーバ１２ａ、１２ｂの傾斜角を使用者が設定できるようにしてもよい。
【００５８】
そして、風速が「微風」に設定され、吹出口５から調和空気が送出される。これにより、吹出口５から斜め上方に送出された空気は、コアンダ効果により天井壁Ｓに沿って流通し、拡散しながら室内機１に対向する側壁Ｗ２（図１０参照）に到達する。そして、側壁Ｗ２に沿って降下し、床面Ｆ（図１０参照）を流通して部屋Ｒ内の全体を調和空気が流通する。これにより、室内が均一な温度に冷房運転される。
【００５９】
＜第３の気流制御＞
次に、室内機１に向かって室内を左右に分割した第１、第２領域Ｅ１、Ｅ２（図１０参照）を操作部３１ａにより異なる温度に設定する場合は、室内機１の配置に応じて第１〜第３送風モードを選択可能になっている。第１送風モードは室内機１が壁面の中央部に配置された場合に選択される。第２送風モードは室内機１が壁面の端部に配置され、室内機１に近い側を低温にする場合に選択される。第３送風モードは室内機１が壁面の端部に配置され、室内機１から遠い側を低温にする場合に選択される。
【００６０】
室内機１の配置が壁面の中央部と判断して第１送風モードを選択するか、室内機１の配置が壁面の端部であると判断して第２、第３送風モードを選択するかは部屋の大きさや部屋が縦長か横長かの形状等によって異なる。室内機１から正面に調和空気を送出しても取付面に直交する側壁に沿って左右に拡散しない位置に配置された場合には第２、第３送風モードが選択される。例として、６畳間の短い側の壁面に６畳タイプの室内機１を取り付けた場合には、取付面に直交する側壁から例えば３５０ｍｍ以下の距離に配置した場合に第２、第３送風モードが選択される。
【００６１】
リモートコントローラ３１の操作により第１送風モードを選択した場合は、第３の気流制御が行われる。前述の図４に示すリモートコントローラ３１の表示部３１ｂは、第１送風モードが選択され、壁面の中央部に配された室内機１に向かって左側の第１領域Ｅ１（図１０参照）の設定温度を２４℃に設定し、右側の第２領域Ｅ２（図１０参照）の設定温度を２６℃に設定した状態を表わしている。第１、第２領域Ｅ１、Ｅ２は側壁Ｗ１（図１０参照）の中央を通る鉛直面によって分割されている。
【００６２】
この設定温度で冷房運転を開始すると、縦ルーバ１２ａ、１２ｂは図６に示すように配置される。即ち、右側の縦ルーバ１２ｂは正面に向かう方向に配置される。左側の縦ルーバ１２ａは前方に行くほど左方に例えば４０゜傾斜して配置される。縦ルーバ１２ａよりも傾斜角の小さい範囲で右側の縦ルーバ１２ｂを前方に行くほど若干右方に例えば５゜傾斜して配置してもよい。
【００６３】
右側の横ルーバ１１１ｂ、１１１ｄは、前述の図５と同様に配置される。即ち、上方の横ルーバ１１１ｂは前方が上方になるように例えば水平に対して２０゜の角度で配置される。下方の横ルーバ１１１ｄは前方が若干下方となる斜め下方から略水平の間の例えば水平に対して５゜以下の角度で配置される。また、左側の横ルーバ１１１ａ、１１１ｃは図７に示すように配置される。即ち、横ルーバ１１１ａ、１１１ｃは回動して前方に行くほど若干下方となる斜め下方から略水平の間に配置される。例えば、横ルーバ１１１ａが水平に配置され、横ルーバ１１１ｃは水平に対して１０゜前方が下方になるように配置される。図８はこの状態を示す室内機１の斜視図を示している。
【００６４】
そして、第１の気流制御と同様に風速が「微風」に設定され、送風ファン７を駆動して調和空気が吹出口５から図９に示すように送出される。即ち、左側吹出口５ａからは、調和空気が矢印Ａ１に示すように左方の略水平または左方の若干下方に向けて送出される。また、側壁Ｗ１の中央を通る鉛直面に対して傾斜角αだけ左方に傾斜して送出される。右側吹出口５ｂからは、調和空気が矢印Ｂ１に示すように正面の斜め上方に向けて送出される。
【００６５】
図１０は室内に送出された空気の流通状態を示している。右側吹出口５ｂから送出される空気（Ｂ１）の気流（以下、「第２気流」という）は左右に拡散しながらコアンダ効果により天井壁Ｓに沿って流通して徐々に速度を低下させる。そして、室内機１に対向する側壁Ｗ２の広い範囲に沿って降下する。
【００６６】
左側吹出口５ａから送出される空気（Ａ１）の気流（以下、「第１気流」という）は室内機１に向かって左側の側壁Ｗ３に沿って流通し、側壁Ｗ２に到達する。そして、第２気流は第１気流と合流して床面Ｆを流通する。
【００６７】
第１気流の傾斜角α（図９参照）は２０゜以上にするとよい。図１０の部屋Ｒを６畳間として短い方の側壁Ｗ１の中央に室内機１を設けると、室内機１の中央から側壁Ｗ２、Ｗ３が交わるコーナーに向かう方向は側壁Ｗ１に垂直な鉛直面に対して約２０゜傾斜する。従って、第１気流の傾斜角αを２０゜以上にすると、確実に第１気流を側壁Ｗ３に沿わせることができる。部屋Ｒが８畳間の場合や室内機１を正面にして横長の場合は傾斜角αを２０゜よりも大きくすることにより側壁Ｗ３に沿わせることができる。
【００６８】
第２気流（Ｂ１）は正面に向かって送出されるため、第２気流（Ｂ１）によって部屋Ｒの左側の第１領域Ｅ１と右側の第２領域Ｅ２とが同等の冷却能力で冷却される。一方、第１気流（Ａ１）は左方に向かって送出されるため、第１気流（Ａ１）によって部屋Ｒの左側の第１領域Ｅ１が第２領域Ｅ２よりも多く冷却される。その結果、第１領域Ｅ１の平均温度は第２領域Ｅ２の平均温度よりも低くなる。
【００６９】
例えば、左側吹出口５ａ及び右側吹出口５ｂから１／２ずつの調和空気が送出されると、第２気流によって第１、第２領域はそれぞれ吹出口５から送出された調和空気の１／４ずつの冷却能力で冷却される。また、第１気流によって第１領域は吹出口５から送出された調和空気の略１／２の冷却能力で冷却される。これにより、第１領域には吹出口５から送出された調和空気の３／４の冷却能力が供給される。
【００７０】
また、前述の図６に示すように縦ルーバ１２ａは傾斜するため、左側吹出口５ａから送出される第１気流（Ａ１）は縦ルーバ１２ａによる圧力損失の増加及び断面積の減少等により風量が減少する。このため、室内熱交換器９との熱交換によって第２気流よりも第１気流（Ａ１）の温度が低くなる。従って、第１領域Ｅ１の平均温度を第２領域Ｅ２の平均温度よりも更に低くすることができる。
【００７１】
図１１〜図１５は、第２の気流制御時の部屋Ｒ内の温度分布を示している。部屋Ｒの大きさは６畳（高さ２４００ｍｍ、横３６００ｍｍ、奥行き２７００ｍｍ）である。図１１、図１２は図１０に示す一点鎖線Ｄ１、Ｄ２の断面の測定結果を示している。図１３、図１４は図１０に示す二点鎖線Ｄ３、Ｄ４の断面の測定結果を示している。図１５は図１０に示す破線Ｄ５の断面の測定結果を示している。
【００７２】
尚、Ｄ１断面は、側壁Ｗ３に平行かつ側壁Ｗ３から６７５ｍｍの位置であり、部屋Ｒの室内機１に向かって左側１／４の位置の断面である。Ｄ２断面は、側壁Ｗ３に対向する側壁Ｗ４に平行かつ側壁Ｗ４から６７５ｍｍの位置であり、部屋Ｒの室内機１に向かって右側１／４の位置の断面である。Ｄ３断面は、側壁Ｗ１に平行かつ側壁Ｗ１から１２００ｍｍの位置であり、部屋Ｒの室内機１に向かって前方１／３の位置の断面である。Ｄ４断面は、側壁Ｗ１に対向する側壁Ｗ２に平行かつ側壁Ｗ２から１２００ｍｍの位置であり、部屋Ｒの室内機１に向かって後方１／３の位置の断面である。Ｄ５断面は床面Ｆに平行かつ床面Ｆから６００ｍｍの位置であり、部屋Ｒの下から１／４の位置の断面である。
【００７３】
これらの図によると、部屋Ｒの室内機１に向かって左側の第１領域Ｅ１が約２４℃に温度制御されている。また、室内機１に向かって右側の第２領域Ｅ２が約２６℃に温度制御されている。従って、第１、第２領域Ｅ１、Ｅ２の温度差を約２℃設けることができる。
【００７４】
このとき、部屋Ｒの下方中央部分居住空間には空気が側壁Ｗ２から側壁Ｗ１の方向に向かって流通する。このため、吹出口５から送出された空気は減速され、第１領域Ｅ１の風速が０．１ｍ／ｓ以下であり、第２領域Ｅ２の風速が約０．２ｍ／ｓになっている。従って、居住空間に冷気が直接降り注ぐことがなく、極めて低速の気流が流れるため使用者の健康を損なうことを防止することができる。尚、風速が０．５ｍ／ｓ以下であれば使用者にはほとんど無風に感じられる。このため、居住空間の風速が０．５ｍ／ｓ以下になるように送風ファン７の回転数が決められる。
【００７５】
また、第１気流（Ａ１）の風量は２．５ｍ3／ｍｉｎ、風速は３ｍ／ｓ、吹出温度は１０℃であり、第２気流（Ｂ１）の風量は５ｍ3／ｍｉｎ、風速は６ｍ／ｓ、吹出温度は１５℃である。前述したように、圧力損失等により風量及び風速が異なり、第１気流（Ａ１）の吹出し温度が低くなっている。また、第１気流の風速が低いため、第１領域Ｅ１から第２領域Ｅ２に循環する調和空気の量が減少して第１領域Ｅ１に停滞する量が増加する。これにより、より簡単に第１領域Ｅ１の温度を第２領域Ｅ２よりも低くすることができる。
【００７６】
熱交換器９を左右に分割してそれぞれの熱交換器を異なる温度にして第１、第２気流の温度差を設けてもよい。また、送風ファン７を左右に分割してそれぞれの送風ファンを異なる回転数にして第１、第２気流を異なる風速及び風量にしてもよい。これらにより、第１、第２領域の温度をより細かく調節することができる。
【００７７】
また、吹出口５の左右の左側吹出口５ａと右側吹出口５ｂから異なる方向に調和空気を送出するので、快適性を向上することができる。即ち、吹出口５の上下から異なる方向に調和空気を送出すると、横ルーバの上下面に温度差が発生する。これにより、横ルーバに結露が生じ、使用者に水が吹きかかったり、部屋を水浸しにして使用者を不快にする場合がある。これに対し、左側吹出口５ａと右側吹出口５ｂから異なる方向に調和空気を送出すると、横ルーバ１１１ａ〜１１１ｄの上下面の温度差発生が抑制され、結露を防止して快適性が向上する。
【００７８】
尚、より大きな温度差を第１、第２領域Ｅ１、Ｅ２に設ける場合は、右側の縦ルーバ１２ｂは前方を内側（左側）に向けて傾斜して配置される。前方を内側（左側）に向けて傾斜して縦ルーバ１２ｂを配置することにより、右側吹出口５ｂから送出される第２気流（Ｂ１）（図１０参照）は部屋Ｒの右側の第２領域Ｅ２よりも左側の第１領域Ｅ１により多く送出される。このため、部屋Ｒの右側の第２領域Ｅ２よりも左側の第１領域Ｅ１に多くの冷却能力がもたらされる。
【００７９】
そして、吹出口５から送出される全体の空気量が減少するために送風ファン７の回転数を増加して風量が増加される。これにより、第１、第２領域Ｅ１、Ｅ２の温度差が大きくなる。また、第１、第２領域Ｅ１、Ｅ２の絶対的な室温は圧縮機（不図示）の回転数を可変して調整される。
【００８０】
尚、室内機１が室内の右側の端部に配置される場合は、縦ルーバ１２ａ、１２ｂ及び横ルーバ１１１ａ〜１１１ｄの全体を左右対称に配置すればよい。
【００８１】
＜第４の気流制御＞
次に、リモートコントローラ３１の操作により第２送風モードを選択した場合は、第４の気流制御が行われる。図１６は第２送風モードを選択したリモートコントローラ３１の表示状態を示している。即ち、室内機１が取り付けられる壁面に向かって左側に室内機１が配置され、左側の第１領域Ｅ１（図１０参照）の設定温度を２４℃に設定し、右側の第２領域Ｅ２（図１０参照）の設定温度を２６℃に設定した状態を表わしている。
【００８２】
この設定温度で冷房運転を開始すると、縦ルーバ１２ａは前方をやや外側に向けて傾斜角が５゜〜１０゜の範囲で傾斜して配置される。縦ルーバ１２ｂは前方を外側に向けて傾斜角が１５゜〜３０゜の範囲で傾斜して配置される。また、横ルーバ１１１ａ、１１１ｂ、１１１ｃ、１１１ｄは、第３の気流制御と同様に配置される。即ち、上方の横ルーバ１１１ｂは前方が上方になるように例えば水平に対して２０゜の角度で配置される。
【００８３】
下方の横ルーバ１１１ｄは前方が若干下方となる斜め下方から略水平の間の例えば水平に対して５゜以下の角度で配置される。また、左側の横ルーバ１１１ａ、１１１ｃは図７に示すように配置される。即ち、横ルーバ１１１ａ、１１１ｃは回動して前方に行くほど若干下方となる斜め下方から略水平の間に配置される。例えば、横ルーバ１１１ａが水平に配置され、横ルーバ１１１ｃは水平に対して１０゜前方が下方になるように配置される。
【００８４】
そして、第１の気流制御と同様に風速が「微風」に設定され、送風ファン７を駆動して調和空気が吹出口５から図１７示すように送出される。即ち、左側吹出口５ａからは、調和空気が矢印Ａ２に示すように左方の略水平または左方の若干下方に向けて送出される。右側吹出口５ｂからは、調和空気が矢印Ｂ２に示すように右方の斜め上方に向けて送出される。
【００８５】
右側吹出口５ｂから送出される第２気流（Ｂ２）は左右に拡散しながらコアンダ効果により天井壁Ｓに沿って流通して徐々に速度を低下させる。そして、室内機１に対向する側壁Ｗ２の広い範囲に沿って降下する。左側吹出口５ａから送出される第１気流（Ａ２）は室内機１に向かって左側の側壁Ｗ３に沿って流通し、側壁Ｗ２に到達する。そして、第２気流は第１気流と合流して床面Ｆを流通する。
【００８６】
第２気流（Ｂ２）は対向する側壁Ｗ２に沿って降下するように送出されるため、第２気流（Ｂ２）によって部屋Ｒの左側の第１領域Ｅ１と右側の第２領域Ｅ２とが同等の冷却能力で冷却される。一方、第１気流（Ａ２）は左方に向かって送出されるため、第１気流（Ａ２）によって部屋Ｒの左側の第１領域Ｅ１が第２領域Ｅ２よりも多く冷却される。その結果、第１領域Ｅ１の平均温度は第２領域Ｅ２の平均温度よりも低くなる。
【００８７】
図１８は、第４の気流制御時の部屋Ｒ内の温度分布を示している。部屋Ｒの大きさは６畳（高さ２４００ｍｍ、横３６００ｍｍ、奥行き２７００ｍｍ）である。同図は図１７に示す破線Ｄ５の断面の測定結果を示している。Ｄ５断面は床面Ｆに平行かつ床面Ｆから６００ｍｍの位置であり、部屋Ｒの下から１／４の位置の断面である。
【００８８】
同図によると、部屋Ｒの室内機１に向かって左側の第１領域Ｅ１が約２４℃に温度制御されている。また、室内機１に向かって右側の第２領域Ｅ２が約２６℃に温度制御されている。従って、第１、第２領域Ｅ１、Ｅ２の温度差を約２℃設けることができる。
【００８９】
このとき、部屋Ｒの下方中央部分の居住空間には空気が側壁Ｗ２から側壁Ｗ１の方向に向かって流通する。このため、吹出口５から送出された空気は減速され、第１領域Ｅ１の風速が０．２ｍ／ｓであり、第２領域Ｅ２の風速が０．１ｍ／ｓ以下になっている。従って、居住空間に冷気が直接降り注ぐことがなく、極めて低速の気流が流れるため使用者の健康を損なうことを防止することができる。
【００９０】
尚、室内機１が室内の右側の端部に配置される場合は、縦ルーバ１２ａ、１２ｂ及び横ルーバ１１１ａ〜１１１ｄの全体を左右対称に配置すればよい。
【００９１】
＜第５の気流制御＞
次に、リモートコントローラ３１の操作により第３送風モードを選択した場合は、第５の気流制御が行われる。図１９は第２送風モードを選択したリモートコントローラ３１の表示状態を示している。即ち、室内機１が取り付けられる壁面に向かって左側の端部に室内機１が配置され、左側の第１領域Ｅ１（図１０参照）の設定温度を２６℃に設定し、右側の第２領域Ｅ２（図１０参照）の設定温度を２４℃に設定した状態を表わしている。
【００９２】
この設定温度で冷房運転を開始すると、縦ルーバ１２ａは前方をやや室内の中央側に向けて傾斜角が５゜〜２０゜の範囲で傾斜して配置される。縦ルーバ１２ｂは前方を外側に向けて傾斜角が３０゜〜５０゜の範囲で傾斜して配置される。左側上方の横ルーバ１１１ａは前述の図５に示す横ルーバ１１１ｂと同様に、前方が上方になるように例えば水平に対して２０゜の角度で配置される。下方の横ルーバ１１１ｃは前方が若干下方となる斜め下方から略水平の間の例えば水平に対して５゜以下の角度で配置される。
【００９３】
また、右側の横ルーバ１１１ｂ、１１１ｄは前述の図７の横ルーバ１１１ａ、１１１ｃと同様に配置される。即ち、横ルーバ１１１ｂ、１１１ｄは回動して前方に行くほど若干下方となる斜め下方から略水平の間に配置される。例えば、横ルーバ１１１ｂが水平に配置され、横ルーバ１１１ｄは水平に対して１０゜前方が下方になるように配置される。
【００９４】
そして、風速が「強風」に設定され、送風ファン７を駆動して調和空気が吹出口５から図２０示すように送出される。即ち、左側吹出口５ａからは、調和空気が矢印Ａ３に示すようにやや右方の斜め上方に向けて送出される。右側吹出口５ｂからは、調和空気が矢印Ｂ３に示すように右方の略水平または右方の若干下方に向けて送出される。
【００９５】
左側吹出口５ａから送出される第１気流（Ａ３）は左右に拡散しながらコアンダ効果により天井壁Ｓに沿って流通して徐々に速度を低下させる。そして、室内機１に対向する側壁Ｗ２の広い範囲に沿って降下する。右側吹出口５ｂから送出される第２気流（Ｂ３）は室内機１に向かって右側の側壁Ｗ４に沿って流通し、側壁Ｗ２に到達する。そして、第２気流は第１気流と合流して床面Ｆを流通する。
【００９６】
第１気流（Ａ３）は対向する側壁Ｗ２に沿って降下するように送出されるため、第１気流（Ａ３）によって部屋Ｒの左側の第１領域Ｅ１と右側の第２領域Ｅ２とが同等の冷却能力で冷却される。一方、第３気流（Ｂ３）は右方の側壁Ｗ４に向かって送出されるため、第２気流（Ｂ３）によって部屋Ｒの右側の第２領域Ｅ２が第１領域Ｅ１よりも多く冷却される。その結果、第１領域Ｅ１の平均温度は第２領域Ｅ２の平均温度よりも高くなる。
【００９７】
図１８は、第４の気流制御時の部屋Ｒ内の温度分布を示している。部屋Ｒの大きさは６畳（高さ２４００ｍｍ、横３６００ｍｍ、奥行き２７００ｍｍ）である。同図は図１７に示す破線Ｄ５の断面の測定結果を示している。Ｄ５断面は床面Ｆに平行且つ且つ床面Ｆから６００ｍｍの位置であり、部屋Ｒの下から１／４の位置の断面である。
【００９８】
同図によると、部屋Ｒの室内機１に向かって左側の第１領域Ｅ１が約２６℃に温度制御されている。また、室内機１に向かって右側の第２領域Ｅ２が約２４℃に温度制御されている。従って、第１、第２領域Ｅ１、Ｅ２の温度差を約２℃設けることができる。
【００９９】
このとき、部屋Ｒの下方中央部分の居住空間には空気が側壁Ｗ２から側壁Ｗ１の方向に向かって流通する。このため、吹出口５から送出された空気は減速され、第１領域Ｅ１の風速が０．１ｍ／ｓ以下であり、第２領域Ｅ２の風速が約０．２ｍ／ｓになっている。従って、居住空間に冷気が直接降り注ぐことがなく、極めて低速の気流が流れるため使用者の健康を損なうことを防止することができる。
【０１００】
尚、室内機１が室内の右側の端部に配置される場合は、縦ルーバ１２ａ、１２ｂ及び横ルーバ１１１ａ〜１１１ｄの全体を左右対称に配置すればよい。
【０１０１】
本実施形態によると、室内機１の配置に拘わらず室内を左右に分割した第１領域Ｅ１と、第２領域Ｅ２とを略等しい温度にすることができる。また、第１〜第３送風モードを選択することにより、第１、第２領域Ｅ１、Ｅ２を簡単に異なる温度に温度制御することができる。従って、複数の使用者が快適と感じる温度が異なる場合でも室内機１の配置に拘わらず簡単に室内の複数の使用者に対して快適性を満たすことができる。
【０１０２】
また、第１〜第５の気流制御では第１、第２領域Ｅ１、Ｅ２の下部には室内機１の対向する壁面Ｗ２から室内機１の設置される壁面Ｗ１に向かって気流が流通する。このため、室内下部の居住域の風速を容易に０．５ｍ／ｓ以下にすることができる。従って、使用者が冷気を直接浴び続けることがなく、使用者の体調を損ねることを防止することができる。
＜＜第２実施形態＞＞
次に、図２２は第２実施形態の空気調和機の室内機１を示す斜視図である。説明の便宜上、前述の図１〜図２１に示す第１実施形態と同様の部分には同一の符号を付している。本実施形態は第１実施形態の横ルーバ１１１ａ、１１１ｂ、１１１ｃ、１１１ｄに替えて横ルーバ１１２ａ、１１２ｂ、１１２ｃが設けられる。その他の部分は第１実施形態と同様である。
【０１０３】
横ルーバ１１２ａ（第１上部風向板）は左側吹出口５ａの上部を塞ぐ位置に配される。横ルーバ１１２ｂ（第２上部風向板）は右側吹出口５ｂの上部を塞ぐ位置に配される。横ルーバ１１２ｃ（下部風向板）は吹出口５の下部を塞ぐ位置に配される。横ルーバ１１２ａ、１１２ｂ、１１２ｃは水平な回動軸を有し、気流制御モータ７９（図２８参照）の駆動によってそれぞれ独立に回動する。従って、横ルーバ１１２ｃの左部分及び横ルーバ１１２ａは左側吹出口５ａから送出される気流の上下方向の風向を可変する。横ルーバ１１２ｃの右部分及び横ルーバ１１２ｂは右側吹出口５ｂから送出される気流の上下方向の風向を可変する。
【０１０４】
第１の気流制御を行う場合は、縦ルーバ１２ａ、１２ｂが前述の図３に示すように配置される。横ルーバ１１２ａ、１１２ｂ、１１２ｃは回動して前述の図５に示す横ルーバ１１１ａ、１１１ｂ、１１１ｃと同様に配置される。これにより、冷房運転時に第１実施形態と同様に調和空気を送出して、冷房運転時の室内の温度を均一にすることができる。
【０１０５】
第２の気流制御を行う場合は、横ルーバ１１２ａ〜１１２ｃは第１の気流制御と同様に配置される。縦ルーバ１２ａ、１２ｂは正面に対して室内の中央側に向けて配置される。これにより、冷房運転時に第１実施形態と同様に調和空気を送出して、冷房運転時の室内の温度を均一にすることができる。
【０１０６】
第１送風モードの選択により第３の気流制御を行う場合は、縦ルーバ１２ａ、１２ｂが前述の図６に示すように配置される。横ルーバ１１２ｂ、１１２ｃは第１の気流制御と同様に配置される。横ルーバ１１２ａは回動して前述の図７に示す横ルーバ１１１ａと同様に配置される。図２２はこの時の室内機１の状態を示している。
【０１０７】
左側吹出口５ａの上下方向の送出方向は横ルーバ１１２ａ及び横ルーバ１１２ｃの左側（第１上下風向可変部）により規制される。右側吹出口５ｂの上下方向の送出方向は横ルーバ１１２ｂ及び横ルーバ１１２ｃの右側（第２上下風向可変部）により規制される。これにより、冷房運転時に壁面の中央部に配された室内機１によって第１実施形態と同様に調和空気が送出される。その結果、室内を左右に分割した第１、第２領域Ｅ１、Ｅ２（図１０参照）が異なる温度に制御される。
【０１０８】
尚、前述したように、送風経路６の上部を流通する空気量が下部を流通する空気量よりも多い。このため、下方の横ルーバ１１２ｃが左右で同じ角度になっても第１実施形態と同様に左側吹出口５ａと右側吹出口５ｂとで上下に異なる方向に気流を送出することができる。
【０１０９】
第２送風モードの選択により第４の気流制御を行う場合は、横ルーバ１１２ａ、１１２ｂ、１１２ｃは、第３の気流制御と同様に配置される。縦ルーバ１２ｂは前方をやや外側に向けて傾斜角が５゜〜１０゜の範囲で傾斜して配置される。縦ルーバ１２ｂは前方を外側に向けて傾斜角が１５゜〜３０゜の範囲で傾斜して配置される。
【０１１０】
これにより、冷房運転時に壁面の左方の端部に配された室内機１によって第１実施形態と同様に調和空気が送出される。その結果、室内を左右に分割した第１領域Ｅ１を第２領域Ｅ２（図１７参照）よりも低温に維持することができる。
【０１１１】
第３送風モードの選択により第５の気流制御を行う場合は、横ルーバ１１２ａは前述の図５に示す横ルーバ１１１ｂと同様に、前方が上方になるように配置される。横ルーバ１１２ｂ、１１２ｃは前述の図７に示す横ルーバ１１１ａ、１１１ｄと同様に配置される。      
【０１１２】
縦ルーバ１２ａは前方をやや室内の中央側に向けて傾斜角が５゜〜２０゜の範囲で傾斜して配置される。縦ルーバ１２ｂは前方を外側に向けて傾斜角が３０゜〜５０゜の範囲で傾斜して配置される。
【０１１３】
これにより、冷房運転時に壁面の左方の端部に配された室内機１によって第１実施形態と同様に調和空気が送出される。その結果、室内を左右に分割した第１領域Ｅ１を第２領域Ｅ２（図２０参照）よりも高温に維持することができる。
【０１１４】
＜＜第３実施形態＞＞
次に、図２３は第３実施形態の空気調和機の室内機１を示す斜視図である。前述の図１〜図２１に示す第１実施形態と同様の部分には同一の符号を付している。本実施形態は第１の実施形態の横ルーバ１１１ａ、１１１ｂ、１１１ｃ、１１１ｄに替えて横ルーバ１１３ａ、１１３ｂが設けられる。その他の部分は第１実施形態と同様である。
【０１１５】
横ルーバ１１３ａ（上部風向板）は吹出口５の上部を塞ぐ位置に配される。横ルーバ１１３ｂ（下部風向板）は吹出口５の下部を塞ぐ位置に配される。横ルーバ１１３ａ、１１３ｂは水平な回動軸を有し、気流制御モータ７９（図２８参照）の駆動によってそれぞれ独立に回動する。また、横ルーバ１１３ａ、１１３ｂは柔軟な可撓性材料から成り、気流制御モータ７９（図２８参照）によって両端の回転軸にそれぞれ逆方向の回転トルクを加えることができる。これにより、横ルーバ１１３ａ、１１３ｂは図２４に示すように捻ることができるようになっている。
【０１１６】
従って、横ルーバ１１３ａ、１１３ｂの左部分は左側吹出口５ａから送出される気流の上下方向の風向を可変する。横ルーバ１１３ａ、１１３ｂの右部分は右側吹出口５ｂから送出される気流の上下方向の風向を可変する。
【０１１７】
第１の気流制御を行う場合は、縦ルーバ１２ａ、１２ｂ（第１、第２左右風向変更部）が前述の図３に示すように配置される。横ルーバ１１３ａ、１１３ｂは回動して前述の図５に示す横ルーバ１１１ａ、１１１ｃと同様に配置される。これにより、冷房運転時に第１実施形態と同様に調和空気を送出して、冷房運転時の室内の温度を均一にすることができる。
【０１１８】
第２の気流制御を行う場合は、横ルーバ１１３ａ、１１３ｂは第１の気流制御と同様に配置される。縦ルーバ１２ａ、１２ｂは正面に対して室内の中央側に向けて配置される。これにより、冷房運転時に第１実施形態と同様に調和空気を送出して、冷房運転時の室内の温度を均一にすることができる。
【０１１９】
第１送風モードの選択により第３の気流制御を行う場合は、縦ルーバ１２ａ、１２ｂが前述の図６に示すように配置される。横ルーバ１１３ａ、１１３ｂの右部分（第２上下風向可変部）は第１の気流制御と同様に配置される。横ルーバ１１３ａ、１１３ｂの左部分（第１上下風向可変部）は捻られて前述の図７に示す横ルーバ１１１ａ、１１１ｃと同様に配置される。図２５はこの時の室内機１を示す斜視図である。これにより、冷房運転時に第１実施形態と同様に調和空気を送出して、室内を左右に分割した第１、第２領域Ｅ１、Ｅ２（図１０参照）が異なる温度に制御される。
【０１２０】
第２送風モードの選択により第４の気流制御を行う場合は、横ルーバ１１３ａ、１１３ｂは、第３の気流制御と同様に配置される。縦ルーバ１２ｂは前方をやや外側に向けて傾斜角が５゜〜１０゜の範囲で傾斜して配置される。縦ルーバ１２ｂは前方を外側に向けて傾斜角が１５゜〜３０゜の範囲で傾斜して配置される。
【０１２１】
これにより、冷房運転時に壁面の左方の端部に配された室内機１によって第１実施形態と同様に調和空気が送出される。その結果、室内を左右に分割した第１領域Ｅ１を第２領域Ｅ２（図１７参照）よりも低温に維持することができる。
【０１２２】
第３送風モードの選択により第５の気流制御を行う場合は、横ルーバ１１３ａ、１１３ｂの左部分は第１の気流制御と同様に配置される。横ルーバ１１３ａ、１１３ｂの右部分（第１上下風向可変部）は捻られて前述の図７に示す横ルーバ１１１ａ、１１１ｃと同様に配置される。
【０１２３】
縦ルーバ１２ａは前方をやや室内の中央側に向けて傾斜角が５゜〜２０゜の範囲で傾斜して配置される。縦ルーバ１２ｂは前方を外側に向けて傾斜角が３０゜〜５０゜の範囲で傾斜して配置される。
【０１２４】
これにより、冷房運転時に壁面の左方の端部に配された室内機１によって第１実施形態と同様に調和空気が送出される。その結果、室内を左右に分割した第１領域Ｅ１を第２領域Ｅ２（図２０参照）よりも高温に維持することができる。
【０１２５】
第１〜第３実施形態において、前述の図４に示すリモートコントローラ３１の表示部３１ａには部屋Ｒの概略形状及び室内機１の概略設置位置が模式的な斜視図で表示されている。表示部３１ａの表示画面はこれに限られず他の画面を表示してもよい。例えば、図２６に示すように、室内機１の設置位置を表わす平面図３１ｅを設け、第１、第２領域Ｅ１、Ｅ２の設定温度を「２４℃、２６℃」のように左右に並べて配置してもよい。即ち、室内機１のどの配置が選択されているかが、使用者にわかりやすくなっていればよい。また、図２７に示すように、スライド式の蓋３１ｄをスライドさせることにより温度、風向、風量等をより詳細に入力することができるようになっている。
【０１２６】
尚、各気流制御は使用者の操作によってリモートコントローラ３１から指令があった際に行われるが、室内の温度が所定条件に到達した際に自動的に切り替えて実行されるようにしてもよい。また、音声認識部（不図示）を介して接続されたマイク（不図示）を室内機１に設けて制御部に指令してもよい。即ち、マイクに向かって、例えば、「左を低温」と発声すると、室内が均一な温度分布の状態から、左右に分割した第１領域を第２領域よりも低温に温度制御することができる。
【０１２７】
また、インターネット等のネットワークを介して空気調和機と通信端末とを接続してもよい。通信端末はパーソナルコンピュータ、電話機、携帯電話機等から成り、無線移動通信網、電話回線、衛星通信、ケーブル回線等によりネットワークに接続される。通信端末は前述の図４や図２６に示すリモートコントローラ３１の各種キー操作に相当する操作が可能に構成される。これにより、ネットワークを利用した空気調和機のリモートコントロールシステムが構築される。従って、通信端末から空気調和機に指令を送信して室内を温度制御することができ、外出先から遠隔操作して空気調和機の利便性を向上することができる。
【０１２８】
＜＜第４実施形態＞＞
次に図２８は第４実施形態の空気調和機の制御部を示すブロック図である。本実施形態は、前述の図１〜図２１に示す第１実施形態の空気調和機に加え、室内機１から室内機１の取付面に直交する壁面までの距離を検知する距離検知部７８を備えている。また、距離検知部７８の検知結果により室内機１の配置を検知する配置検知手段が設けられている。その他の部分は第１実施形態と同様である。
【０１２９】
制御部６０は各種演算処理を行うＣＰＵ７１を有し、ＣＰＵ７１には入力信号を受け取る入力回路７２及びＣＰＵ７１の演算結果を出力する出力回路７３が接続されている。また、ＣＰＵ７１の演算プログラムの格納及び演算結果の一時記憶を行うメモリ７４が設けられている。
【０１３０】
出力回路７３には気流制御モータ７９が接続される。気流制御モータ７９は縦ルーバ１２ａ、１２ｂ及び横ルーバ１１１ａ〜１１１ｄを駆動して調和空気の吹出し方向を可変する。入力回路７２には距離検知部７８の検出信号が入力される。距離検知部７８は室内機１を設置した側壁Ｗ１に直交する側壁Ｗ３、Ｗ４（図１０参照）までの距離を検知する。
【０１３１】
距離検知部７８は光または音を発して側壁Ｗ３、Ｗ４で反射した光または音を捉えて距離を計測する。距離検知部７８が他の構成から成ってもよい。例えば、室内機１から側壁Ｗ３、Ｗ４に向けて棒状の部材を延ばして距離を計測してもよい。また、側壁Ｗ３、Ｗ４の画像を撮影して距離を演算してもよい。
【０１３２】
図２９は上記構成の空気調和機の室内機１の配置の検知動作を示すフローチャートである。ステップ＃１１で距離検知部７８は室内機１と左側壁Ｗ３との距離Ｌ３及び右側壁Ｗ４との距離Ｌ４を検知する。ステップ＃１２では距離Ｌ３が予め設定されている所定の距離Ｌ０より大きいか否かが判断される。
【０１３３】
距離Ｌ０は室内機１の設置位置が壁面の端部か否かを判断するために例えば３５０ｍｍに設定されている。距離Ｌ０は吹出口５の形状、空気調和機前面部の形状、吹出方向、縦ルーバ１２ａ、１２ｂの形状等により最適値が固有に存在する。このため、空気調和機の設計段階にて決められ、予め制御部６０のメモリ７４に記憶されている。
【０１３４】
距離Ｌ３が距離Ｌ０よりも大きい場合はステップ＃１３に移行し、距離Ｌ４が距離Ｌ０より大きいか否かが判断される。距離Ｌ４が距離Ｌ０よりも大きい場合はステップ＃１４に移行し、室内機１が中央部に配置されていることがメモリ７４に記憶される。これにより、室内の温度を均一にする場合は第１の気流制御が行われる。また、第１、第２領域Ｅ１、Ｅ２に温度差を設ける場合は第１送風モードが制御部により選択され、第３の気流制御が行われる。
【０１３５】
ステップ＃１３で距離Ｌ４が距離Ｌ０以下の場合はステップ＃１５に移行し、室内機１が右側の端部に配置されていることがメモリ７４に記憶される。これにより、室内の温度を均一にする場合は第２の気流制御が行われる。第２領域Ｅ２が第１領域Ｅ１よりも低温に設定された場合は、第２送風モードが制御部６０により選択され、第４の気流制御が行われる。第２領域Ｅ２が第１領域Ｅ１よりも高温に設定された場合は、第３送風モードが制御部６０により選択され、第５の気流制御が行われる。
【０１３６】
ステップ＃１２で距離Ｌ３が距離Ｌ０以下の場合はステップ＃１６に移行し、距離Ｌ４が距離Ｌ０より大きいか否かが判断される。距離Ｌ４が距離Ｌ０よりも大きい場合はステップ＃１７に移行し、室内機１が左側の端部に配置されていることがメモリ７４に記憶される。これにより、室内の温度を均一にする場合は第２の気流制御が行われる。第１領域Ｅ１が第２領域Ｅ２よりも低温に設定された場合は、第２送風モードが制御部６０により選択され、第４の気流制御が行われる。第１領域Ｅ１が第２領域Ｅ２よりも高温に設定された場合は、第３送風モードが制御部６０により選択され、第５の気流制御が行われる。
【０１３７】
ステップ＃１６で距離Ｌ４が距離Ｌ０以下の場合は室内の幅が狭く左右に分割して温度制御が困難になる。このため、分割して温度管理できない旨がメモリ７４に記憶される。これにより、室内の温度を均一にする場合は第１の気流制御が行われる。また、第１、第２領域Ｅ１、Ｅ２に温度差を設ける設定ができないようにリモートコントローラ３１の動作が制限される。
【０１３８】
以上の動作によって室内機１の配置が検知される。従って、該フローチャートの動作プログラムを備えた制御部６０及び距離検知部７８によって室内機１の配置を検知する配置検知手段が構成されている。尚、リモートコントローラ３１による所定の操作によって配置検知手段の検知結果に拘わらず気流制御モータ７９を駆動して空気調和機の運転条件を変更可能になっている。
【０１３９】
また、室内機１と左側壁Ｗ３、右側壁Ｗ４との距離に対応する数段階の切替スイッチを入力回路７２または出力回路７３に設けてもよい。そして、室内機１を設置した時に設置工事者や使用者が左側壁Ｗ３、右側壁Ｗ４との距離に応じて切替スイッチを操作する。これにより、切替スイッチは室内機１の配置を入力する配置入力手段を構成し、切替スイッチを設けることにより配置検知手段の検知結果に拘わらず気流制御を変更可能にしてもよい。
【０１４０】
また、上記のフローチャートの動作は冷房運転等の度に行う必要はない。例えば、一定期間毎や、電源コンセントを電源プラグに差し込んだ場合や、室内機１を設置した場合等に行えばよい。これにより、空気調和を迅速に開始することができる。
【０１４１】
室内機１と左側壁Ｗ３、右側壁Ｗ４との距離Ｌ３、Ｌ４に応じて段階的に吹出方向を変更してもよい。この場合、室内機１と左側壁Ｗ３、右側壁Ｗ４との距離に応じてきめ細かい運転条件を設定できるため、更に快適な居住空間を得ることができる。
【０１４２】
本実施形態によると、室内機１の配置を検知する配置検知手段を設けているので、使用者が室内機１の配置を入力する必要がなく空気調和機の利便性が向上する。尚、第１実施形態の空気調和機に配置検知手段を設けているが、第２、第３実施形態の空気調和機に配置検知手段を設けてもよい。
【０１４３】
第１〜第４実施形態において、第１〜第５の気流制御時の縦ルーバ１２ａ、１２ｂ及横ルーバ１１１ａ〜１１１ｄ、１１２ａ〜１１２ｃ、１１３ａ、１１３ｂの配置は吹出口５の形状、空気調和機前面部の形状等により最適な向きが固有に存在する。このため、空気調和機の設計段階で各部の配置が決定され、出荷時に予めメモリ７４に記憶されている。
【０１４４】
以上により、本発明に係る空気調和機を説明したが、本発明は上記実施形態に限定されるものではなく、本発明の趣旨を逸脱しない範囲で適宜の変更を加えて実施することができる。
【産業上の利用可能性】
【０１４５】
本発明は、室内の空気を調和する空気調和機に利用することができる。
【図面の簡単な説明】
【０１４６】
【図１】本発明の第１実施形態の空気調和機の室内機を示す斜視図
【図２】本発明の第１実施形態の空気調和機の室内機を示す側面断面図
【図３】本発明の第１実施形態の空気調和機の室内機の縦ルーバ示す平面図
【図４】本発明の第１実施形態の空気調和機のリモートコントローラを示す平面図
【図５】本発明の第１実施形態の空気調和機の室内機の第１の気流制御時の配置を示す側面断面図
【図６】本発明の第１実施形態の空気調和機の室内機の第３の気流制御時の縦ルーバの配置を示す平面図
【図７】本発明の第１実施形態の空気調和機の室内機の第３の気流制御時の横ルーバの配置を示す側面断面図
【図８】本発明の第１実施形態の空気調和機の室内機の第３の気流制御時の横ルーバの配置を示す斜視図
【図９】本発明の第１実施形態の空気調和機の室内機の第３の気流制御時の空気送出方向を示す斜視図
【図１０】本発明の第１実施形態の空気調和機の室内機の第３の気流制御時の居室内の気流の挙動を示す図
【図１１】図１０の断面Ｄ１における温度分布を示す図
【図１２】図１０の断面Ｄ２における温度分布を示す図
【図１３】図１０の断面Ｄ３における温度分布を示す図
【図１４】図１０の断面Ｄ４における温度分布を示す図
【図１５】図１０の断面Ｄ５における温度分布を示す図
【図１６】本発明の第１実施形態の空気調和機のリモートコントローラの第４の気流制御時の表示状態を示す平面図
【図１７】本発明の第１実施形態の空気調和機の室内機の第４の気流制御時の居室内の気流の挙動を示す図
【図１８】図１６の断面Ｄ５における温度分布を示す図
【図１９】本発明の第１実施形態の空気調和機のリモートコントローラの第５の気流制御時の表示状態を示す平面図
【図２０】本発明の第１実施形態の空気調和機の室内機の第５の気流制御時の居室内の気流の挙動を示す図
【図２１】図２０の断面Ｄ５における温度分布を示す図
【図２２】本発明の第２実施形態の空気調和機の室内機を示す斜視図
【図２３】本発明の第３実施形態の空気調和機の室内機を示す斜視図
【図２４】本発明の第３実施形態の空気調和機の室内機の横ルーバを示す斜視図
【図２５】本発明の第３実施形態の空気調和機の室内機の第３の気流制御時の横ルーバの配置を示す斜視図
【図２６】本発明の第１〜第３実施形態の空気調和機の他のリモートコントローラを示す平面図
【図２７】本発明の第１〜第３実施形態の空気調和機の他のリモートコントローラを示す平面図
【図２８】本発明の第４実施形態の空気調和機を示すブロック図
【図２９】本発明の第４実施形態の空気調和機の動作を示すフローチャート
【符号の説明】
【０１４７】
１    室内機
２    キャビネット
３    フロントパネル
４    吸込口
５    吹出口
６    送風経路
７    送風ファン
８    エアフィルタ
９    室内熱交換器
１０    ドレンパン
１１１ａ〜１１１ｄ、１１２ａ〜１１２ｃ、１１３ａ、１１３ｂ  横ルーバ
１２ａ、１２ｂ  縦ルーバ
３１    リモートコントローラ
６０    制御部
６１    温度センサ
７１    ＣＰＵ
７２    入力回路
７３    出力回路
７４    メモリ
７８    距離検知部
７９    気流制御モータ
【図１】
2006162215.tif 000003
【図２】
2006162215.tif 000004
【図３】
2006162215.tif 000005
【図４】
2006162215.tif 000006
【図５】
2006162215.tif 000007
【図６】
2006162215.tif 000008
【図７】
2006162215.tif 000009
【図８】
2006162215.tif 000010
【図９】
2006162215.tif 000011
【図１０】
2006162215.tif 000012
【図１１】
2006162215.tif 000013
【図１２】
2006162215.tif 000014
【図１３】
2006162215.tif 000015
【図１４】
2006162215.tif 000016
【図１５】
2006162215.tif 000017
【図１６】
2006162215.tif 000018
【図１７】
2006162215.tif 000019
【図１８】
2006162215.tif 000020
【図１９】
2006162215.tif 000021
【図２０】
2006162215.tif 000022
【図２１】
2006162215.tif 000023
【図２２】
2006162215.tif 000024
【図２３】
2006162215.tif 000025
【図２４】
2006162215.tif 000026
【図２５】
2006162215.tif 000027
【図２６】
2006162215.tif 000028
【図２７】
2006162215.tif 000029
【図２８】
2006162215.tif 000030
【図２９】
2006162215.tif 000031